(57)【特許請求の範囲】
【請求項１】
上部小径部２３を有し上方に吸液芯２６を突出した薬液ボトル２１を内部に収納し、該ボトル２１の吸液芯２６を発熱体３７で加熱して薬剤を蒸散させる薬剤加熱蒸散装置において、
前記薬液ボトル２１を内部に収納する下部本体１と、該下部本体１に対して水平方向に回転自在となり内部に前記薬液ボトル２１の吸液芯２６を加熱する発熱体３７を設けた上部本体２とからなり、前記下部本体１における薬液ボトル２１の上部小径部２３に相対する上下位置で下部本体１の上部小径部に外嵌する上部本体２の下部小径部の外周に前記上部本体２内に設けた発熱体３７に接続するコード２０を収納するコード収納部４３を形成したことを特徴とする薬剤加熱蒸散装置。
【請求項２】
前記下部本体１に内外連通する開口部１３を１カ所以上形成し、該開口部１３にレンズ体１４を装着したことを特徴とする請求項１記載の薬剤加熱蒸散装置。
【請求項３】
前記下部本体１に内外連通する開口部１３を対向する少なくとも２カ所にそれぞれ形成し、一方の開口部１３に蓄光体１６を装着したことを特徴とする請求項１記載の薬剤加熱蒸散装置。
【請求項４】
前記下部本体１に内外連通する開口部１３を対向する少なくとも２カ所にそれぞれ形成し、一方の開口部１３に蓄光体１６を装着すると共に、他方の開口部１３にレンズ体１４を装着したことを特徴とする請求項１記載の薬剤加熱蒸散装置。
【請求項５】
前記レンズ体１４に縮小レンズを用いたことを特徴とする請求項２又は請求項４記載の薬剤加熱蒸散装置。
【発明の詳細な説明】
【０００１】
【発明の属する技術分野】
本発明は、殺虫、殺菌、殺ダニ、防虫、忌避、芳香、消臭等を目的として、薬剤を収納しかつ吸液芯を具備した薬液ボトルの該吸液芯上側面を発熱体により加熱して、薬剤を蒸散させる薬剤加熱蒸散装置で、特に薬剤加熱蒸散装置にコード収納部を形成した薬剤加熱蒸散装置に関する。
【０００２】
【従来の技術】
従来、薬剤加熱蒸散装置としては、その発熱体に通電するためのコードが装着されるようになっており、このコードを収納するためのコード収納部が当該薬剤加熱蒸散装置に形成されたものがあった。
【０００３】
このコード収納部においては、実開平３−９５７７８号や実開平３−９９９７２号に記載されているように、装置本体の側面に巻取方向が垂直方向に向かうようになるコード収納部が形成されたもの、あるいは、実開平３−７４２８３号に記載されているように、装置本体の下部に巻取方向が水平方向に向かうようになるコード収納部が形成されたもの等が知られていた。
【０００４】
また、実開平２−６０５７８号には、巻取方向が水平方向に向かいかつ環状に巻き取られた中央空所内に電気加熱蒸散部が設置されるようになるものが知られていた。
【０００５】
【発明が解決しようとする課題】
従来の薬剤加熱蒸散装置において、実開平３−９５７７８号や実開平３−９９９７２号または実開平３−７４２８３号に記載されたようなコード収納部の形成にあっては、装置本体の側面があるいは下部がそれぞれ突出した形状となり装置の大型化といった問題が生じると共にデザイン上の制約を受けてデザイン性が劣るといった問題が生じる恐れがあった。
また、実開平２−６０５７８号に記載されたようなコード収納部の形成にあっては、装置本体の下部が水平方向に大きくなり、やはり装置の大型化やデザイン性が劣るといった問題が生じる恐れがあった。
【０００６】
さらに、前述した従来の薬剤加熱蒸散装置全般にわたっては、回転するコード側と固定状態となる発熱体側との間に接点部材が必要となり、部品点数の増加やこの部分での構造の複雑化といった問題も生じる恐れがあった。
本発明は、これらの問題を解消することを、その課題としている。
【０００７】
【課題を解決するための手段】
本発明は、前記問題を解消するため、上部小径部を有し上方に吸液芯を突出した薬液ボトルを内部に収納し、該ボトルの吸液芯を発熱体で加熱して薬剤を蒸散させる薬剤加熱蒸散装置において、前記薬液ボトルを内部に収納する下部本体と、該下部本体に対して水平方向に回転自在となり内部に前記薬液ボトルの吸液芯を加熱する発熱体を設けた上部本体とからなり、前記下部本体における薬液ボトルの上部小径部に相対する上下位置で下部本体の上部小径部に外嵌する上部本体の下部小径部の外周に前記上部本体内に設けた発熱体に接続するコードを収納するコード収納部を形成する。
【０００８】
【作    用】
当該薬剤加熱蒸散装置よりコード収納部が突出することをなくし、装置全体の大型化を防止する。これにより薬剤加熱蒸散装置のコンパクト化を図ることで、材料費や梱包費あるいは輸送費等の費用の低減を行うことができる。しかも、コード収納部が突出することがないので、これによるデザイン上の制約を受けることがなく、デザイン性の優れた薬剤加熱蒸散装置を提供することができる。また、コードは従来のようなコード側と発熱体側との間に接点部材を設けることなく発熱体に接続するようになるので、接点部材等を不要とし、部品点数の低減を図りかつ構造の単純化を行うことができる。
【０００９】
【実  施  例】
本発明による薬剤加熱蒸散装置の第一実施例について説明する。
図１、図２及び図３に示すように、薬剤加熱蒸散装置はまず下部本体１と上部本体２とからなり、該下部本体１と上部本体２とは互いに水平方向に回転自在に嵌合している。そして、該下部本体１はインナーボディー３とサイドボディー４とからなり、また、上部本体２は台座５とトップカバー６とからなっている。
【００１０】
前記下部本体１のインナーボディー３は、大径筒体１０とその上部に中板１１を介して設けた小径筒体１２とから下方が大きく開口すると共に上方も開口した形状となり、該大径筒体１０の側面下部に内外連通する開口部１３を１カ所以上例えば２カ所形成し、この２カ所の開口部１３それぞれに透明のレンズ体１４を装着する。該レンズ体１４は左右に嵌合片１４ａを有して中央が湾曲して膨らんだ形状となっている。そして、該大径筒体１０はその下部における他の部分に下部通気口１７を形成すると共に、外周側にコード止め部１８を形成する。該コード止め部１８は上下中間に相対向する爪１９を設けたもので、大径筒体１０の外周面と２個の爪１９とにコード２０をはさむようになっている。また、前記小径筒体１２上端には中央口２７と通気口２８とを形成した上板２９を固着し、また、小径筒体１２上端外周には複数の嵌合爪３０を形成している。なお、前記中板１１の上部には放射状にリブ３１を複数形成している。さらに、前記小径筒体１２の内周には薬液ボトル２１を装着するためのネジ部２２を形成し、該ネジ部２２に薬液ボトル２１の上部小径部２３のネジ部２４が係合するようになっており、前記薬液ボトル２１は、図４に示すように容器の上部側に上部小径部２３を有して光透過性となり内部に薬剤を収納しかつ上方に吸液芯２６を突出したものである。
【００１１】
前記下部本体１のサイドボディー４は、筒状となり前記インナーボディー３の外周側に着脱自在に固着するようになる。そして、該サイドボディー４には前記インナーボディー３の大径筒体１０に形成した開口部１３に装着したレンズ体１４が外部より見えるように開口した開口部３２を形成すると共に、前記インナーボディー３に形成したコード止め部１８に相対する位置に下方より上方に向かう切り込み部３３を形成する。なお、装置組立て時において該サイドボディー４に形成した開口部３２付近では中央が湾曲して膨らんだ形状となった前記レンズ体１４が内側より圧接し、当該サイドボディー４に形成した切り込み部３３が若干広がって開口部３２付近が外側に若干膨らむようにして装入され、レンズ体１４の底部によってサイドボディー４が確実に嵌合するように構成されている。
【００１２】
一方、前記上部本体２の台座５は、前記インナーボディー３の小径筒体１２の外周に位置するようになる筒体３４を備え、該筒体３４の上下中間外周側にプレート３５を備え、該プレート３５の上部に発熱体用やスイッチ用の脚部３６を形成すると共に該プレート３５にスリット５０を形成しており、該筒体３４の上端に前記インナーボディー３の小径筒体１２の嵌合爪３０が嵌合することで、この台座５の筒体３４とインナーボディー３の小径筒体１２とにおいて回転自在となっている。また、この台座５のプレート３５と前記インナーボディー３の中板１１との間には上下方向に間隙が形成される。そして、該台座５の上方に発熱体３７を設け、該発熱体３７は前記台座５の脚部３６に固着する保持部３８と、この保持部３８に固着する発熱部３９と、この発熱部３９に固着する放熱筒４０とからなり、該放熱筒４０が前記薬液ボトル２１の吸液芯２６に周隙を有して配置されるようになっている。
【００１３】
前記上部本体２のトップカバー６は、略半球状となりその上部中央に蒸散口４１を形成すると共に、上部側部にスイッチやＬＥＤ等を装着した操作部４２を形成しており、前記台座５の上方に発熱体３７を覆うように固着するようになる。また、該トップカバー６の略下半分の外側には前記サイドボディー４が位置するようになり、該サイドボディー４の上端内周がトップカバー６に当接することで、前記下部本体１と上部本体２との回転を若干規制するようになっている。
【００１４】
そして、このようになる薬剤加熱蒸散装置において、前記上部本体２の台座５のプレート３５と前記下部本体１のインナーボディー３の中板１１との間に形成された間隙を発熱体３７に接続する先端にプラグを有するコード２０を収納するコード収納部４３に形成する。すなわち、前記下部本体１における薬液ボトル２１の上部小径部２３が係合する部分である上部小径部２３に相対する上下位置で下部本体１の上部小径部である小径筒体１２に外嵌する上部本体２の下部小径部である筒体３４の外周にコード収納部４３を形成するようになる。これは、該発熱体３７に接続したコード２０が前記台座５のプレート３５を上下に貫通して該台座５の筒体３４に巻取方向が水平方向に向かうように巻き付き、そこから前記下部本体１のサイドボディー４に形成した切り込み部３３の上端より当該薬剤加熱蒸散装置の外部に出るようになっている。
【００１５】
この下部本体１における薬液ボトル２１の上部小径部２３に相対する上下位置においては、薬液ボトル２１が一番小径となる部分であり、また他には該薬液ボトル２１が係合する下部本体１のインナーボディー３の小径筒体１２が配置されるのみであり、ここの外周に当該薬剤加熱蒸散装置を大きくすることなしにコード収納部４３としての空間を形成することが可能となる。
【００１６】
このような構成により、インナーボディー３，サイドボディー４からなる下部本体１と、台座５，トップカバー６からなる上部本体２とが互いに水平方向に回転自在となることで、下部本体１を固定して上部本体２を回転すると、前記コード２０が巻き込まれて前記コード収納部４３に収納されるようになると共に、該コード２０を引っ張ると、上部本体２が下部本体１に対して回転して、該コード２０が当該薬剤加熱蒸散装置より引き出されるようになっている。また、引き出したコード２０は図５に示すように前記下部本体１のサイドボディー４に形成したコード止め部１８にはさみ込むことで、ここでコード２０を固定するようになる。なお、このコード２０においては、コードの種類、形状、長さ等は特に限定されるものではないが、コードの長さは５００ｍｍから１５００ｍｍ程度が好ましく、８００ｍｍから１２００ｍｍ程度がもっとも好適に用いられる。
また、本実施例のように発熱体３７への通電を制御する電気回路部を内蔵するものにあっては、トップカバー６、もしくは台座５より熱遮断壁４９を立設したり、別パーツで熱遮断壁を構成することもできる。さらに、別パーツで熱遮断壁を構成する場合、電気回路部から発熱体３７への配線カバーを併設することもできる。
【００１７】
このようになる薬剤加熱蒸散装置においては、次のような利点を奏する。
使用時に適当な長さだけコード２０を引き出して使用することができ、使用時のコード２０が邪魔になるといったことをなくして、コード２０に引っ掛かる危険性を少なくすることができる。ちなみにコード２０を引っ掛けて当該薬剤加熱蒸散装置を転倒すると、所期の薬剤蒸散効果が得られないばかりか、内部に薬剤が付着し、この状態で長時間経過すると薬剤が液化流出して薬剤による汚染や乳幼児が過って舐める等の危険が生じると共に、当該薬剤加熱蒸散装置の内部の電気系統にも悪影響を及ぼすものである。
【００１８】
前記コード２０を当該薬剤加熱蒸散装置内に完全に収納することができるので使用後の後片付けが容易ですっきり収納することができる。
前記コード収納部４３を前記下部本体１における薬液ボトル２１の上部小径部２３に相対する上下位置の外周に形成したことで、該コード収納部４３が当該薬剤加熱蒸散装置より突出することがなく、装置全体の大型化をなくして、コンパクトな設計を可能とし、材料費や梱包費あるいは輸送費等の費用の低減をすることができる。また、デザイン上の制約を受けることもなく、デザイン性が大巾に向上する。
【００１９】
前記コード２０は上部本体２に設けられた発熱体３７に接続しており、従来のようなコード２０側と発熱体３７側との間に接点部材を設ける必要もなく、部品点数の低減やこの部分での構造の単純化を行うことができる。
一番重量物となる薬液ボトル２１は、下部本体１側にも上部本体２側どちらにも装着可能であるが、下部本体１側に装着する方が上部本体２の回転作動がスムーズな回転となりコード２０の出し入れを容易に行うことができて好ましい。
【００２０】
前記下部本体１のサイドボディー４にコード止め部１８を形成したことで、使用時にコード２０が浮くのを防止して使用時の安全性の向上を図る。
前記下部本体１においては内外連通する開口部１３を形成しここに透明のレンズ体１４を装着したことで、内部に収納する薬液ボトル２１の薬剤残量を容易に確認することができる。
【００２１】
前記レンズ体１４がサイドボディー４に形成した開口部３２においてサイドボディー４に良好に嵌合して前記下部本体１と上部本体２との回転を若干規制することができる。よって、サイドボディー４とトップカバー６との製作時の精度、特にサイドボディー４とトップカバー６とが嵌合する部分の精度を高めることなく、これらを良好に嵌合することができ、製作の容易化を行えると共に、製作費を安価にすることもできる。
【００２２】
なお、前述の実施例において、前記コード収納部４３を前記下部本体１における薬液ボトル２１の上部小径部２３に相対する上下位置の外周に形成しているが、該コード収納部４３をこの上下位置から上方側に形成するようにしても良い。
【００２３】
また、前記下部本体１における開口部１３に装着したレンズ体１４に縮小レンズを用いるようにしても良く、この場合、縮小レンズを用いることにより、拡大レンズを用いた場合には薬液ボトル２１が拡大されて薬剤の液面の位置関係が識別することが困難となったり、あるいは薬剤の液面の表面張力により液面が二重に見えたりして液面が不明瞭になる恐れがあったが、縮小レンズにより薬液ボトル２１が縮小されて薬剤の液面の位置関係が容易に識別可能となると共に、薬剤の液面の表面張力により液面が二重に見えるのを極力なくして液面を明瞭にすることができ、薬液ボトル２１の薬剤の液面（残量）を確実に確認することができる。
【００２４】
さらに、縮小レンズを用いたことで当該レンズ体１４を小さくしても薬液ボトル２１の薬剤の残量を容易に確認することができ、このレンズ体１４の小形化により、前記下部本体１における開口部１３を小さくすることで該下部本体１の強度を良好にすることが可能となると共に、レンズ体１４のコストを安価にすることができ、薬剤加熱蒸散装置全体のコストも安価に提供することが可能となる。ここで第一実施例において、下部本体と上部本体との回転は、インナーボディー３より突出させた小径筒体および嵌合爪と台座の筒体３４、さらにサイドボディー４上方内側とトップカバー６下方外側で規制している例であるが、それぞれ一方のみの規制も可能である。
【００２５】
次に、本発明による薬剤加熱蒸散装置の第二実施例について説明する。
図６、図７に示すように、第一実施例と同様、薬剤加熱蒸散装置は下部本体１と上部本体２とからなり、該下部本体１と上部本体２とは互いに水平方向に回転自在に嵌合している。そして、該下部本体１はインナーボディー３とサイドボディー４とからなり、また、上部本体２は台座５とトップカバー６とからなっている。
【００２６】
そして、前記下部本体１のインナーボディー３とサイドボディー４とが第一実施例と異なるものである。
前記インナーボディー３は、大径筒体１０とその上部に中板１１を介して設けた小径筒体１２とから下方が大きく開口すると共に上方も開口した形状となり、該大径筒体１０の側面下部に内外連通する開口部１３を対向する２カ所にそれぞれ形成し、この２カ所の内の一方の開口部１３に透明のレンズ体１４を装着すると共に、他方の開口部１３に板状の蓄光体１６を装着する。そして、該大径筒体１０はその下部における他の部分に下部通気口１７を形成する。また、前記小径筒体１２上端には中央口２７と通気口２８とを形成した上板２９を一体に形成し、また、小径筒体１２上端外周には複数の嵌合爪３０を形成している。なお、前記中板１１の上部には放射状にリブ３１を複数形成している。さらに、前記小径筒体１２の内周には薬液ボトル２１を装着するためのネジ部２２を形成し、該ネジ部２２に薬液ボトル２１の上部小径部２３のネジ部２４が係合するようになっている。
【００２７】
また、前記蓄光体１６としては、太陽光や蛍光灯などの光を受けてエネルギーを吸収、励起し、吸収したエネルギーを可視光として、受光停止後も光を徐々に放出しながらある時間発行し続ける材料であり、この作用が継続して反復されるものであれば特に限定されるものではない。また、本実施例に用いられる蓄光体１６は受光した光を周囲に発光する、つまり蓄光体１６の受光面つまり本実施例に用いた場合装置の外側に表れる面及び該受光面以外の部分つまり本実施例に用いた場合装置の内側に表れる面からも継続して発光するようになることが求められるので、蓄光材料を樹脂等に練り込んだものが最良ではないかと考えられる。
【００２８】
なお、前述した蓄光の定義としては、一般に何らかのエネルギーにより刺激を受けた物質が、エネルギー変換して光を放出する際、その刺激を受けている間だけ発光するのを「蛍光」といい、刺激を受け終わった後も持続して発光するすなわち残光するものを「蓄光」という。
【００２９】
また、前記サイドボディー４は、筒状となり前記インナーボディー３の外周側に嵌合するようになる。そして、該サイドボディー４には前記インナーボディー３の大径筒体１０に形成した開口部に装着したレンズ体１４と蓄光体１６が外部より見えるように開口した開口部３２を形成すると共に、該開口部３２に対向する位置に下方より上方に向かう切り込み部３３を形成する。
【００３０】
そして、このようになる薬剤加熱蒸散装置において、前記上部本体２の台座５のプレート３５と前記下部本体１のインナーボディー３の中板１１との間に形成された間隙を発熱体３７に接続する先端にプラグを有するコード２０を収納するコード収納部４３に形成する。すなわち、前記下部本体１における薬液ボトル２１の上部小径部２３が係合する部分である上部小径部２３に相対する上下位置で下部本体１の上部小径部である小径筒体１２に外嵌する上部本体２の下部小径部である筒体３４の外周にコード収納部４３を形成するようになる。
【００３１】
このような構成により、第一実施例と同様にインナーボディー３，サイドボディー４からなる下部本体１と、台座５，トップカバー６からなる上部本体２とが互いに水平方向に回転自在となることで、下部本体１を固定して上部本体２を回転すると、前記コード２０が巻き込まれて前記コード収納部４３に収納されるようになると共に、該コード２０を引っ張ると、上部本体２が下部本体１に対して回転して、該コード２０が当該薬剤加熱蒸散装置より引き出されるようになっている。
【００３２】
このようになる薬剤加熱蒸散装置においては、前述の第一実施例と同様の利点を奏すると共に、さらに次の利点を奏する。
前記下部本体１のインナーボディー３に蓄光体１６を外部より見えるように装着したことで、夜間に当該薬剤加熱蒸散装置の位置確認を容易に行うことができると共に、イルミネーション効果も得られるようになる。
該下部本体１においては蓄光体１６の対向する側に透明のレンズ体１４を装着したことで、該蓄光体１６より発した光は薬液ボトル２１、レンズ体１４を経て外部に向かうようになり、これにより、該薬液ボトル２１の薬剤残量を暗闇の中でも容易に確認することができる。
また、前記蓄光体１６においては電気的な部品、配線等を必要とせず容易にしかも安価に提供することができる。
【００３３】
なお、本実施例においても、前述の第一実施例と同様に前記下部本体１における開口部１３に装着したレンズ体１４に縮小レンズを用いるようにしても良い。
【００３４】
次に本発明による薬剤加熱蒸散装置のさらに他の実施例について説明すると、図８、図９に示すように、前述の第一実施例や第二実施例の薬剤加熱蒸散装置とほぼ同じ構成となるが、コード収納部４３へのコード２０の巻き取りが自動で行えるようになっている。これは、前記上部本体２の台座５において、筒体３４の上部外周側に発熱体用等の脚部３６を形成したプレート３５を備えると共に、該筒体３４の上下中間外周側に第二プレート４４を備える。そして、該第二プレート４４の下部に渦巻きバネ４５を固着しその一端は前記下部本体１のインナーボディー３の小径筒体１２に固着している。また、第二プレート４４の下部における渦巻きバネ４５を固着した反対側にロック駒４６及びロックバネ４７を固着し、該ロック駒４６及びロックバネ４７においては前記インナーボディー３の中板１１外周より立設したリング５１の内周に形成した係止部４８に該ロック駒４６がロックバネ４７により係止するようになり、コード２０を僅かに引き出すとロック駒４６の係合が解除されコード２０が渦巻きバネ４５により巻き取られるようになる。
【００３５】
このようになることで、前述した第一実施例あるいは第二実施例における利点を奏すると共に、コード２０の巻き取りを自動で行えるので、コード２０の巻き取り作業を容易に行えるといる利点も奏することができる。
なお、前記ロック駒４６及びロックバネ４７においてその係合の解除についてはコード２０を僅かに引き出すて解除するのではなく、単にボタンを押してロック駒４６の係合を解除するようにしても良い。
【００３６】
また、本発明による薬剤加熱蒸散装置にあっては、前述した各実施例に限定されるものではなく、以下に示すような形でも良い。
薬剤を収容する薬液ボトル２１の薬剤加熱蒸散装置への係合は、当該薬剤加熱蒸散装置への係合およびキャッピング用に兼用できるようネジ部２２として例示しているが、特にこれに限定されるものではなく、例えば、前記下部本体１のインナーボディー３の下端に薬液ボトル保持体を設けこれで薬液ボトル２１を内部に収納保持するようにしても良い。また、前記薬液ボトル２１は前記下部本体１のインナーボディー３に係合するようになっているが、これに限定されるものではなく、例えば、前記上部本体２の台座５に係合するようにしても良い。
【００３７】
また、前記薬液ボトル２１においては、その上部小径部２３の直径寸法は最大部で３０ｍｍ以下となることが好ましいが、該上部小径部２３は円形に限定されるものではない。さらに、薬液ボトル２１の上部小径部２３以外の部分の形状も円形に限定されるものではなく、円形、楕円形、正方形、長方形等任意であり、これらに限定されるものではない。
【００３８】
さらに、本発明に用いる薬剤には使用目的に応じて種々の蒸散性薬剤を使用できる。例えば殺虫を目的として使用する場合、従来より用いられている各種蒸散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられ、例えば、アレスリン、ｄ１・ｄ−Ｔ８０−アレスリン、ｄ・ｄ−Ｔ８０−アレスリン、ｄ・ｄ−Ｔ８０−プラレスリン、フタルスリン、ｄ−Ｔ８０−レスメトリン、ｄ−Ｔ８０−フラメトリン、ペルメトリン、フェノトリン、フェンバレレート、シペルメトリン、シフェノトリン、エンペントリン、テラレスリン、エトフェンプロックス等従来公知の各種ピレスロイド系殺虫剤を用いることができる。
【００３９】
また、その使用目的に応じて、殺菌剤、殺ダニ剤、防虫剤、防カビ材、防錆材、消臭剤、忌避剤、香料等、従来から用いられている蒸散性薬剤も使用でき、例えば殺菌、防カビ剤としては、ｏ−フェニルフェノール、イソプロピルメチルフェノール、２−クロロ−４−フェニルフェノール、チモール等、香料としては、天然および人工の各種香料を使用でき、例えば動物性、植物性の天然香料、あるいは炭化水素、アルコール、フェノール、アルデヒド、ケトン、ラクトン、オキシド、エステル類等の人工香料などが挙げられる。
これらの蒸散性薬剤は１種類を単独で使用できる他、２種以上を混合して使用することもできる。
【００４０】
また、発熱体３７の発熱手段としては抵抗ヒーター（セメント抵抗器、酸化金属皮膜抵抗器、炭素金属皮膜抵抗器、ニクロム線等）・半導体（ＰＴＣ）を用いたヒーターに通電する方法等に限定されず、電源コードを有して電気的に加熱するものであれば適用できる。また、その形状、用途ともに何ら限定されるものではない。
【００４１】
さらに、前記コード２０においては、タイマーユニットを介して発熱体３７に接続するようにしても良く、この場合、該タイマーユニットは複数のタイマーモードを有し、モードの切り替わりは操作部４２に設けた複数のＬＥＤにてそれぞれ表示するようになる。また、前記タイマーユニットにはスイッチ操作後の所定時間経過後に自動的にＯＦＦになったり、あるいは自動的にＯＮになったり等のモードを任意に設定することができる。なお、タイマーユニットにおいては前述したものに限定されるものではない。
【００４２】
【発明の効果】
前記下部本体における薬液ボトルの上部小径部に相対する上下位置で下部本体の上部小径部に外嵌する上部本体の下部小径部の外周に上部本体内に設けた発熱体に接続するコードを収納するコード収納部を形成したことで、当該薬剤加熱蒸散装置よりコード収納部が突出することをなくし、装置全体の大型化を防止する。これにより薬剤加熱蒸散装置のコンパクト化を図ることで、材料費や梱包費あるいは輸送費等の費用の低減を行うことができる。しかも、コード収納部が突出することがないので、これによるデザイン上の制約を受けることがなく、デザイン性の優れた薬剤加熱蒸散装置を提供することができる。また、コードは従来のようなコード側と発熱体側との間に接点部材を設けることなく発熱体に接続するようになるので、接点部材等を不要とし、部品点数の低減を図りかつ構造の単純化を行うことができる。
【００４３】
また、前記下部本体に内外連通する開口部を１カ所以上形成し、該開口部にレンズ体を装着したことで、薬液ボトルの薬剤残量を容易に確認することができる。
【００４４】
さらに、前記下部本体に蓄光体を外部より見えるように装着したことで、夜間に当該薬剤加熱蒸散装置の位置確認を容易に行うことができ、夜間使用時の安全性を向上することができる。また、下部本体において蓄光体の対向する側である反対に透明のレンズ体を装着したことで、該蓄光体より発した光が薬液ボトル、レンズ体を経て外部に向かうようになり、これにより、該薬液ボトルの薬剤残量を暗闇の中でも容易に確認することができる。
【００４５】
また、前記下部本体に装着したレンズ体に縮小レンズを用いることで、縮小レンズにより薬液ボトルが縮小されて薬剤の液面の位置関係が容易に識別可能となると共に、薬剤の液面の表面張力により液面が二重に見えるのを極力なくして液面を明瞭にすることができ、薬液ボトルの薬剤の残量を確実に確認することができる。
【図面の簡単な説明】
【図１】本発明による第一実施例の側面断面図。
【図２】本発明による第一実施例の背面図。
【図３】本発明による第一実施例の分解斜視図。
【図４】薬液ボトルの側面図。
【図５】本発明による第一実施例の使用状態を説明した側面断面図。
【図６】本発明による第二実施例の分解斜視図。
【図７】本発明による第二実施例の側面断面図。
【図８】本発明による他の実施例の側面断面図。
【図９】図７における概略横断面図。
【符号の説明】
１…下部本体、２…上部本体、３…インナーボディー、４…サイドボディー、５…台座、６…トップカバー、１０…大径筒体、１１…中板、１２…小径筒体、１３…開口部、１４…レンズ体、１４ａ…嵌合片、１６…蓄光体、１７…下部通気口、１８…コード止め部、１９…爪、２０…コード、２１…薬液ボトル、２２…ネジ部、２３…上部小径部、２４…ネジ部、２６…吸液芯、２７…中央口、２８…通気口、２９…上板、３０…嵌合爪、３１…リブ、３２…開口部、３３…切り込み部、３４…筒体、３５…プレート、３６…脚部、３７…発熱体、３８…保持部、３９…発熱部、４０…放熱筒、４１…蒸散口、４２…操作部、４３…コード収納部、４４…第二プレート、４５…渦巻きバネ、４６…ロック駒、４７…ロックバネ、４８…係止部、４９…熱遮断壁、５０…スリット、５１…リング。
【図１】
0003915039.tif 000002
【図２】
0003915039.tif 000003
【図３】
0003915039.tif 000004
【図４】
0003915039.tif 000005
【図５】
0003915039.tif 000006
【図６】
0003915039.tif 000007
【図７】
0003915039.tif 000008
【図８】
0003915039.tif 000009
【図９】
0003915039.tif 000010